(57)【要約】      （修正有）【課題】組み立て、分解可能な竹製収納棚を提供する。【解決手段】組み立て、分解可能な竹製収納棚は、竹材で製造された二主体、上層板２、下層板３、少なくとも一つの中間層板４、二側フレーム、及び、布材からなる。上下層板は、二主体の上下方に設置され、中間層板は、二主体間に設置され、且つ、中間層板の下方は、必要に応じて吊るし棒を設置する。側フレーム５は二主体の側辺の間に設置されて、収納棚を構成する。布材により収納棚外面を被覆して、収納棚のカバーとなる。布材の前面は、ロールアップできる暖簾を設置して、物品の取り出しが容易になるようにする。【選択図】図１
0003147381.tif 000002
【実用新案登録請求の範囲】
【請求項１】
組み立て、分解可能な竹製収納棚であって、
竹材でなる封閉された長方形フレーム体である二主体と、
竹材でなる板体で、前後辺は、前記主体上辺と両角端形状に対応する形状を有し、ねじにより前記主体の上方間に鎖固される上層板と、
竹材でなる板体で、前後辺は、前記主体下辺と両角端形状に対応する形状を有し、ねじにより前記主体の下方間に鎖固される下層板と、
竹材でなる板体で、前後辺の両端が、それぞれ、前記主体の対応辺に鎖固される少なくとも一つの中間層板と、
竹材でなる長方形フレームで、前記フレームの上下辺は、それぞれ、複数の支承軸を有し、ねじにより、前記主体の側辺間に鎖固されて、収納棚を構成する二側フレームと、
前記収納棚の上面、両側面、及び、後面を被覆し、前面は暖簾を設置する布材と、
からなることを特徴とする組み立て、分解可能な竹製収納棚。
【請求項２】
前記主体は、少なくとも一つの横棒を設置することを特徴とする請求項１に記載の組み立て、分解可能な竹製収納棚。
【請求項３】
前記中間層板の下方両側は、それぞれ、耳部を設置し、前記両耳部の間は、吊るし棒を設置することを特徴とする請求項１に記載の組み立て、分解可能な竹製収納棚。
【考案の詳細な説明】
【技術分野】
【０００１】
本考案は、竹製のフレーム体に、布を組み合わせた収納棚に関し、特に、組み立て、分解可能な竹製収納棚に関するものである。
【背景技術】
【０００２】
学生や賃貸居住者は、簡易型クローゼットをよく使用する。それは、通常、金属管でフレーム体にした後、フレーム体の外面にビニール材質のカバーを設置し、カバーがファスナーで開閉できる。しかし、この種のクローゼットは安定性に欠け、搭載重量も十分でなく、その質感も悪い。デザイン性がある木製のクローゼットは価格も高く、通常は、短期居住者は購入しない。
【考案の開示】
【考案が解決しようとする課題】
【０００３】
本考案の目的は、竹材で製造されたフレームに、布材を組み合わせた組み立て、分解可能な竹製収納棚を提供することにある。
【課題を解決するための手段】
【０００４】
上述の目的を達成するため、本考案の構造は、竹材で製造された二主体、上層板、下層板、少なくとも一つの中間層板、二側フレーム、及び、布材からなる。上下層板は、二主体の上下方に設置され、中間層板は、二主体間に設置され、且つ、中間層板の下方は、必要に応じて吊るし棒を設置する。側フレームは二主体の側辺の間に設置されて、収納棚を構成する。布材により収納棚外面を被覆して、収納棚のカバーとなる。布材の前面は、ロールアップできる暖簾を設置して、物品の取り出しが容易である。
【０００５】
本考案の主体は、棒状の竹材を湾曲加工して、フレーム体にし、各角は弧状で、主体は、更に、少なくとも一つの横棒を組接する。
【０００６】
本考案の上層板は、竹材の長方形フレームの範囲内に複数の竹板を配置して、複数の中空槽を有する上層板を構成する。上層板の前後辺は同時に、主体上辺、及び、両角端形状に対応する形状を形成し、ねじにより、二主体に鎖固する。
【０００７】
本考案の下層板は、竹材の長方形フレームの範囲内に複数の竹板を配置して、複数の中空槽を有する下層板を構成し、且つ、下層板の前後辺は同時に、主体下辺、及び、両角端形状に対応する形状を形成し、ねじにより、二主体に鎖固する。
【０００８】
本考案の中間層板は、竹材の長方形フレームの範囲内に複数の竹板を配置して、複数の中空槽を有する中間層板を構成し、ねじにより中間層板の両端をそれぞれ、二主体の対応辺に鎖固する。中間層板の下方は、必要に応じて吊るし棒を設置して、衣類を吊るすことができる。
【考案の効果】
【０００９】
本考案により、分解可能な竹製収納棚が提供される。
【考案を実施するための最良の形態】
【００１０】
図１は、本考案の収納棚の構造を示すで、完全に竹製からなり、二つの主体１、及び、１A、上層板２、下層板３、少なくとも一つの中間層板４、及び、二側フレーム５、からなる。主体１、及び、１Aは、棒状の竹材を湾曲加工して、フレーム体にし、各角は弧状で、主体１Aは、更に、少なくとも一つの横棒１１を組接する。
【００１１】
上層板２は、棒状の竹材を長方形フレーム２１に加工した後、嵌接方式で、複数の竹板２２を、フレーム２１上面に設置された嵌槽に設置し、竹板２２をフレーム２１の範囲内に配置して、複数の中空槽を有する上層板２を構成する。この他、上層板２の前後辺は同時に、主体１、及び、１A上辺、及び、両角端形状に対応する形状を形成している。
【００１２】
下層板３の実施例は、棒状の竹材を長方形フレーム３１に加工した後、嵌接方式で、複数の竹板３２を、フレーム３１上面に設置された嵌槽に設置し、竹板３２をフレーム３１の範囲内に配置して、複数の中空槽を有する下層板３を構成し、且つ、下層板３の前後辺は同時に、主体１、及び、１A下辺、及び、両角端形状に対応する形状を形成している。
【００１３】
中間層板４は、棒状の竹材を長方形フレーム４１に加工した後、嵌接方式で、複数の竹板４２を、フレーム４１上面に設置された嵌槽に設置し、竹板４２をフレーム４１の範囲内に配置して、複数の中空槽を有する中間層板４を構成する。
【００１４】
側フレーム５は、棒状の竹材を長方形フレームに加工し、フレーム上下辺に、複数の支承軸５１を設置する。
【００１５】
図２で示されるように、各素子の組み立て方法は、上層板２の前後辺を、それぞれ、二つの主体１、及び、１Aの上辺に抵接させ、その後、ねじで、上層板２を主体１、及び、１Aの上方の間に鎖固する。同様に、下層板３の前後辺は、主体１、及び、１Aの下辺に抵接させ、ねじで、下層板３を主体１、及び、１Aの下方の間に鎖固する。中間層板４は、必要な数量を装着し、装着時、ねじにより、両側を、主体１、及び、１Aの間に鎖固する。側フレーム５も、ねじで、主体１、及び、１Aの両側の間に鎖固し、使用者は、支承軸５１により、物品を掛けることができる。
【００１６】
図３で示されるように、本考案は、中間層板４により上層板２を代替することができ、直接、網一つの中間層板４を主体１上方の間に組み合わせる。中間層板４両側下方は、更に、耳部４３を設置し、両耳部４３間に吊るし棒４４を設置して、衣類を掛けることができる。図４は、本考案の上層板２と下層板３の間の両主体１の間に、二個の中間層板４を設置した実施例を示す。
【００１７】
図５のように、本考案の収納棚の組み立て完成後、布材６で収納棚外部を覆い、布材６が収納棚の上面、両側面、及び、背面を被覆し、布材６の前面は、ロールアップできる暖簾６１を設置する。図５で示される暖簾６１をロールアップして、ロープで固定するか、或いは、マジックテープ（登録商標）で固定でき、使用者は物品の出し入れが容易である。ロープ、或いは、マジックテープ（登録商標）による固定を解除すると、図６のように、暖簾６１が下りて、収納棚の前面を閉じることができる。
【図面の簡単な説明】
【００１８】
【図１】本考案の第一実施例の立体分解図である。
【図２】図１の素子の結合後の構造立体図である。
【図３】本考案の第二実施例の構造立体図である。
【図４】本考案の第三実施例の構造立体図である。
【図５】本考案のフレーム外表面が布材で被覆された状態の立体図である。
【図６】図５の暖簾がロールダウンされた時の立体図である。
【符号の説明】
【００１９】
１、  
１A主体
２、  
上層板
３、  
下層板
４、  
中間層板
５、  
側フレーム
６、布材
２１、長方形フレーム
２２、竹板
３１、長方形フレーム
３２、竹板
４１、長方形フレーム
４２、竹板
４３、両耳部
４４、吊るし棒
５１、支承軸
６１、暖簾
【図１】
0003147381.tif 000003
【図２】
0003147381.tif 000004
【図３】
0003147381.tif 000005
【図４】
0003147381.tif 000006
【図５】
0003147381.tif 000007
【図６】
0003147381.tif 000008